(57)【要約】  【課題】樹脂製の背もたれの左右両側部に形成した筒状部をパイプ製支柱に嵌め込んでいる椅子において、背もたれの耐久性を向上させる。  【手段】背支柱５の上端部に、樹脂製の緩衝体１５を取付けている。緩衝体１５は、背支柱４に嵌まるボス部２０と、その上端に連設したフランジ部２１と、その上方に延びる上向き突出部２２とを備えており、上向き突出部２２が背もたれ６の上部空所１８に入り込んでいる。緩衝体１５の存在により、背もたれ荷重による応力が分散されると共に、衝撃が緩和されるため、背もたれ６の耐久性が格段に向上する。【選択図】      図７
2006015060.tif 000002
【特許請求の範囲】
【請求項１】
座の左右後部の外側に立設した左右の金属製背支柱に、樹脂製背もたれの左右側部に一体に形成した下向き開口の筒状部を嵌め込んでいる椅子であって、
前記背もたれの左右両側部には、前記筒状部の中空穴に連続して上方に入り込んだ上部空所が形成されている一方、前記左右の背支柱には、後ろ向きの荷重に対して抵抗作用をなす緩衝体が、背支柱の上端から上向きに長く延びて背もたれの上部空所内に入り込むように取付けられている、
背もたれ付き椅子。
【請求項２】
前記緩衝体は合成樹脂製であって、背支柱に上方からきっちり嵌入するボス部と、背支柱の上端に重なり得るフランジ部と、フランジ部から上向きに長く延びる上向き突出部とを備えており、上向き突出部のうち少なくとも上端部が背もたれにおける筒状部の内面に密着又は密接するように設定されており、かつ、上向き突出部は、その上下中途部を薄肉部となすことによって前後方向に弾性変形することが許容されている、
請求項１に記載した背もたれ付き椅子。
【発明の詳細な説明】
【技術分野】
【０００１】
本発明は、背もたれ付き椅子に関するものである。
【背景技術】
【０００２】
座を支持する骨組みを金属パイプで形成して、これに座と背もたれとを取付けた椅子（パイプ椅子と呼ばれることもある）があり、会議用などとして各種の会場などで広く使用されている。
【０００３】
この種の椅子の一つとして、座の後部から左右一対の背支柱を立設する一方、合成樹脂製の背もたれの左右両側部に下方に開口した下向き筒状部を設け、この下向き筒状部を背支柱に嵌め込んだ構造のものがある（例えば特許文献１参照）。
【特許文献１】特開平８─２２８８８２号公報
【発明の開示】
【発明が解決しようとする課題】
【０００４】
この構造の椅子において、着座した人が背もたれにもたれ掛かることによって作用する後ろ向きの背もたれ荷重は、背もたれの下向き筒状部を介して背支柱で支持される。
【０００５】
その場合、背支柱は金属パイプ製であるので強度的な問題は少ないが、背もたれは合成樹脂製であるため、長年使用していると下向き筒状部の付け根部分が破断することが懸念される。
【０００６】
この点について本願出願人は、特開２００２−１３６３８９号において、背支柱の上端に応力集中抑制手段を設けることを提案した。本願発明は、この先願の発明を更に発展させ、背もたれの耐久性をより向上させることを課題として成されたものである。
【課題を解決するための手段】
【０００７】
前記の課題を達成するため請求項１の発明は、座の左右後部の外側に立設した左右の金属製背支柱に、樹脂製背もたれの左右側部に一体に形成した下向き開口の筒状部を嵌め込んでいる椅子において、前記背もたれの左右両側部には、前記筒状部の中空穴に連続して上方に入り込んだ上部空所が形成されている一方、前記左右の背支柱には、後ろ向きの荷重に対して抵抗作用をなす緩衝体が、背支柱の上端から上向きに長く延びて背もたれの上部空所内に入り込むように取付けられている。
【０００８】
請求項２の発明は緩衝体の好適な一態様に係るものである。すなわち、この緩衝体は合成樹脂製であって、背支柱に上方からきっちり嵌入するボス部と、背支柱の上端に重なり得るフランジ部と、フランジ部から上向きに長く延びる上向き突出部とを備えており、上向き突出部のうち少なくとも上端部が背もたれにおける筒状部の内面に密着又は密接するように設定されており、かつ、上向き突出部は、その上下中途部を薄肉部となすことによって前後方向に弾性変形することが許容されている、
【発明の効果】
【０００９】
着座した人が背もたれにもたれ掛かると、背もたれの筒状部には、背支柱の上端を支点にしたモーメントが作用する。そして、本願発明では、背支柱の上端から上向きに長く延びている緩衝体で荷重が支持されることにより、荷重が筒状部の広い範囲で分散して支持され、背支柱の上端との当接箇所に応力が集中することを著しく抑制できる。その結果、背もたれの耐久性を格段に向上させることができる。
【００１０】
緩衝体は背もたれ荷重を吸収するために僅かながら弾性変形するのが好ましく、従って、素材は合成樹脂製とするのが好ましい。この場合、請求項２のように構成すると、上向き突出部には薄肉部を形成するだけの簡単な構造でありながら適度の弾性を付与できる利点がある。
【発明を実施するための最良の形態】
【００１１】
次に、本発明の実施形態を図面に基づいて説明する。
【００１２】
(1).第１実施形態（図１〜図７）
図１〜図７では第１実施形態を示している。このうち図１（Ａ）は全体の概略斜視図、図１（Ｂ）は部分的な側面図、図１（Ｃ）は部分的な背面図、図２は分離斜視図である。
【００１３】
ａ．概要
椅子は、スチールパイプ又はアルミパイプから成る平面視略四角形の座部フレーム１と、座部フレーム１の左右両側を支持する左右一対の脚部フレーム２と、左右の脚部フレーム２をその上部において連結する補強フレーム３と、座部フレーム１の左右後部に立設した２本一組ずつの背支柱４と、座５と、クッション７付きの背もたれ６とを備えている。
【００１４】
いうまでもないが、背支柱４は座５の左右後部の外側に位置している。また、２本ずつの背支柱４は溶接されている。なお、背もたれ６は背シェルと言い換えてもよい。
【００１５】
座部フレーム１の左右水平部１ｃと脚部フレーム２と背支柱４とは連続しており、座部フレーム１の左右水平部１ｃと脚部フレーム２とが、座部フレーム１の前後水平部１ａ，１ｂと補強フレーム３とで接続されている。座部フレーム１の左右水平部１ｃと前水平部１ａとの接続箇所は、平面視で三角形状のブラケット８で補強されている。
【００１６】
背もたれ６はポリプロピレンのような合成樹脂製であり、その左右両側部に、背支柱４に嵌まる下向きの筒状部６ａを一体に形成している。筒状部６ａはねじ９で背支柱４に固定されている。本実施形態では１本のねじ９で後方から１本の背支柱４を固定しているが、２本の背支柱４とも固定してもよい。
【００１７】
背支柱４は側面視で前傾しており、このため背もたれ６の筒状部６ａも前傾した姿勢になっている。他方、背もたれ６は平面視で前向き凹状に湾曲し、かつ、着座者の背が当たる部分は側面視で後傾姿勢になっている。このため、背もたれ６の左右両側部は側面視で前向き凸の山形の形態を成している。
【００１８】
脚部フレーム２の下端部には、接地体１０，１１と連結具１２を取付けている。図２の符号１３で示す部材は座５を取付けるための座受け金具、符号１４で示す部材は座受け金具１３を下方から覆うカバーである。
【００１９】
ｂ．背もたれの取付け構造
背支柱４の上端部には緩衝体１５を取付けている。以下、図３以下の図面も参照して背もたれ６の取付け構造の詳細を説明する。図３は分離正面図、図４は椅子の左側の箇所での一部破断分離正面図、図５のうち（Ａ）は斜視図、（Ｂ）は側面図、（Ｃ）は（Ａ）のＣ−Ｃ視断面図、（Ｄ）は（Ａ）のＤ−Ｄ視断面図、図６は椅子の左側の筒状部６の箇所の縦断正面図、図７のうち（Ａ）は図６の VII-VII視断面図、（Ｂ）は（Ａ）のＢ−Ｂ視断面図、（Ｃ）は（Ａ）のＣ−Ｃ視断面図である。
【００２０】
背もたれ６の筒状部６ａは断面小判形に形成されており、内部の中空穴１７も小判形に形成されている。そして、背もたれ６のうち筒状部６ａに連続した部分には、筒状部６ａの中空穴１７に連続して上方に入り込む上部空所１８が形成されている。上部空所１８は正面視で上部に行くほど幅狭に形成されており、筒状部６ａの中空穴１７と上部空所１８との境界部に段部１９が存在している。
【００２１】
上部空所１８の存在により、背もたれ６の肉厚が均等化されて、成形後のヒケをなくすと共に、撓み変形も均等化されることになる。筒状部６ａの中空穴１７も下方に行くに従って幅広になっている。
【００２２】
背支柱４は２本で一組になっているが、正面視で外側に位置した背支柱４の高さが若干ながら低くなっている。これは、１本のパイプを曲げ加工して脚部フレーム２と成すにおいて、曲げ加工に伴う加工誤差を吸収するためである（高さの高い方が基準になる）。
【００２３】
緩衝体１５はＰＯＭ樹脂のような樹脂製であり、一組の背支柱４に嵌入する一組のボス部２０と、その上端に連設したフランジ部２１と、その上方に延びる上向き突出部２２とから成っている。ボス部２０には、複数条の肉盗み部２０ａを形成している。これは、成形時のヒケを防止すると共に、背支柱４にしっくり嵌入させるためのものである。
【００２４】
背支柱４は帯板を円筒に丸めて突き合わせ部を接合した製造されたパイプを素材にしており、このため、内面には接合によって生じたビードが全長にわたって延びている。本実施形態では、図７（Ｃ）において左側に位置する部分にビードが位置しており、このため、緩衝体１５のボス部２０は図７（Ｃ）で左側の部分が僅かながら切り欠かれている。
【００２５】
上向き突出部２２は背もたれ６の上部空所１８に嵌合する形状であり、外形は正面視山形に形成され、かつ、正面視で三角形状の抜き穴２４が空いている。また、上向き突出部２２のうち上端と下端との間の適宜範囲を薄肉部２２ａと成している。
【００２６】
薄肉部２２ａは、上向き突出部２２の前後両面を側面視弓形にえぐる（肉盗みする）ことによって形成されており、このため、薄肉部２２ａの肉厚は上下中間部が最も薄肉でその上下両方に行くに従って厚さが徐々に厚くなっている。このため、特定部分に応力を集中させることなく適度の弾性を確保できる。
【００２７】
背もたれの上部空所１８は左右非対称形であり、このため緩衝体１５の上向き突出部２２も左右非対称形状に形成されているが、緩衝体１５は前後対称形状に形成されている。このため、１種類の緩衝体１５を左右いずれにも使用できる。緩衝体１５のボス部２０は背支柱４にビスで固定しても良い。
【００２８】
ｃ．作用
以上の構成において、着座した人が背もたれ６にもたれ掛かると、背もたれ６の左右側部には、背支柱４の上端を支点としたモーメントが作用する。しかるに本願発明では、背もたれ６に作用した荷重は緩衝体１５の上向き突出部２２によって背支柱４よりも上方においても支持されるため、特定部分（背支柱４との当接部）に応力が集中することはなく、また、緩衝体１５の上向き突出部２２が僅かながら弾性変形するため衝撃が緩和されるのであり、これらの相乗効果により、背もたれ６の耐久性を格段に向上させることができる。
【００２９】
なお、緩衝体１５の上向き突出部２２と背もたれ６の上部空所１８内面との間には、正面視（図６参照）においては若干の隙間があっても良いが、側面視（図７参照）においては、少なくとも上部同士が密着（または密接）しているのが好ましい。
【００３０】
すなわち、背もたれ６が後傾するように弾性変形したとき、上向き突出部２２が弾性変形に対する抵抗として有効に作用させる（或いは、背もたれ６の弾性変形に追従して上向き突出部２２を弾性変形させる）ためには、背もたれ荷重が上向き突出部２２に即座に伝わるのが好ましく、従って、上向き突出部２２の少なくとも上部が上部空所１８の内面に密着又は密接しているのが好ましい。上向き突出部２２の上部と下部とを側面視で上部空所１８の内面に密着させておくと、応力を分散させる機能がより高くなるため一層好適である。
【００３１】
他方、背もたれ６も緩衝体１５も樹脂製であるため、収縮率の違い等による寸法誤差は避けられない。そこで、図７（Ａ）に示すように、上向き突出部２２のうち荷重が作用する前面は上部空所１８の内面にきっちり当たり、上向き突出部２２の後面と上部空所１８の内面との間には若干（例えば０．５ｍｍ程度）の隙間が空くように設定しておくと、成形誤差を吸収して嵌め込みの確実性を担保しつつ、背もたれ６の弾性変形を上向き突出部２２によって的確に支持できる利点である。
【００３２】
本実施形態のように緩衝体１５にフランジ部２１を形成すると、背もたれ６が背支柱４の上端のコーナー部に直接に当たることが阻止されるため、より好適である。また、背支柱４を構成する２本のパイプの高さが異なっていても、フランジ部２２の存在により、高さの高いパイプの上端箇所に応力が集中すること（片当たりすること）を防止することができ、この面からも有益である。
【００３３】
なお、抜き穴２４の大きさと薄肉部２２ａの側面プロフィールとを調整することにより、上向き突出部２２の弾性力（硬さ）を調節できる。
【００３４】
(2).他の実施形態（図８）
図８では緩衝体１５の別例を示している。このうち（Ａ）に示す第２実施形態では、緩衝体１５を正面視で左右対称形状（側面視でも前後対称形である）に形成している。このように形成すると、左右緩衝体１５の姿勢の方向性がなくなるため、一々緩衝体１５の姿勢を確認する必要がなくなり、それだけ椅子の組み立て作業の能率をアップできる（なお、背もたれの上部空所１８も上向き突出部２２の形状に合わせる必要がある）。
【００３５】
（Ｂ）に示す第３実施形態は上向き突出部２２に抜き穴を形成していない例である。この実施形態の緩衝体１５も左右対称であるため、第２実施形態と同様に組み立て時の方向性はない。
【００３６】
（Ｃ）（Ｄ）に示す第４実施形態は背支柱４が１本のパイプから成っているものに適用した例である。（Ｄ）は（Ｃ）のＤ−Ｄ視断面図であり、この図から理解できるように、上向き突出部２２はどの部分も平断面円形であり、全体として鼓形に形成されている。背支柱４が複数本のパイプで構成されている場合であっても、個々のパイプ緩衝体１５を別々に取付けることは可能である。
【００３７】
(3).その他
本発明は上記の実施形態に限らず、更に様々に具体化できる。例えば緩衝体の形状は必要に応じて自由に設計変更可能である。緩衝体を背支柱に取付ける方法としては、緩衝体に下向き開口の筒部を形成して、これを背支柱４に外側から嵌め込むことも可能である（背支柱が棒材製の場合は必然的にこのようになる）。
【図面の簡単な説明】
【００３８】
【図１】第１実施形態を示す図で、（Ａ）は全体の概略斜視図、図１（Ｂ）は部分的な側面図、図１（Ｃ）は部分的な背面図である。
【図２】分離斜視図である。
【図３】第１実施形態の分離正面図である。
【図４】椅子の左側の箇所での一部破断分離正面図である。
【図５】（Ａ）は要部斜視図、（Ｂ）は側面図、（Ｃ）は（Ａ）のＣ−Ｃ視断面図、（Ｄ）は（Ａ）のＤ−Ｄ視断面図である。
【図６】椅子の左側の筒状部６の箇所の縦断正面図である。
【図７】（Ａ）は図６の VII-VII視断面図、（Ｂ）は（Ａ）のＢ−Ｂ視断面図、（Ｃ）は（Ａ）のＣ−Ｃ視断面図である。
【図８】第２〜第４実施形態を示す図である。
【符号の説明】
【００３９】
４  背支柱
５  座
６  背もたれ
６ａ  筒状部
１５  緩衝体
１７  筒状部の中空穴
１８  上部空所
１９  段部
２０  ボス部
２１  フランジ部
２２  上向き突出部
２２ａ  薄肉部
【図１】
2006015060.tif 000003
【図２】
2006015060.tif 000004
【図３】
2006015060.tif 000005
【図４】
2006015060.tif 000006
【図５】
2006015060.tif 000007
【図６】
2006015060.tif 000008
【図７】
2006015060.tif 000009
【図８】
2006015060.tif 000010